(57)【特許請求の範囲】
【請求項１】
組立式包装容器であって、
略矩形状の板状部材を筒状に折り曲げて形成された側面部と、
前記側面部の一部を折り返して形成され、前記側面部の上方側に設けられた上蓋と、
前記側面部の下方側に設けられた下蓋と、を備え、
前記側面部は、前記上蓋を折り返すことで形成された上部開口部と、前記上部開口部が設けられた側面部と対向する側面部の上方端に設けられた凹形状の溝部を含む第１上蓋受部を有し、
前記上蓋は、前記側面部に接続された領域と対向する領域に上蓋固定部を有し、前記上蓋固定部が、前記第１上蓋受部に嵌め込まれて、前記側面部に固定されるように構成されたことを特徴とする組立式包装容器。
【請求項２】
前記下蓋は、前記側面部の一部を折り返して形成されており、
前記側面部は、前記下蓋を折り返すことで形成された下部開口部と、前記下部開口部が設けられた側面部と対向する側面部の下方端に設けられた凹形状の溝部を含む第１下蓋受部を有し、
前記下蓋は、前記側面部に接続された領域と対向する領域に下蓋固定部を有し、
前記下蓋固定部が、前記第１下蓋受部に嵌め込まれて、前記側面部に固定されるように構成されたことを特徴とする請求項１に記載の組立式包装容器。
【請求項３】
前記側面部は、上方端に設けられ、凹形状を有すると共に、前記第１上蓋受部と異なる第２上蓋受部を有し、
前記上蓋は、当該上蓋の周縁部の前記第２上蓋受部と対応する位置に上蓋突起部を有し、
前記上蓋突起部が、前記第２上蓋受部に嵌め込まれて、前記側面部に固定されるように構成されたことを特徴とする請求項１又は２に記載の組立式包装容器。
【請求項４】
前記第1上蓋受部の前記溝部は、側辺が逆ハの字形状で下方にいくほど開口の幅が狭くなる開口部と、当該開口部の底面部に設けられ、前記上蓋固定部を嵌め込んで係止するための切込み部を有することを特徴とする請求項１〜３のいずれか一項に記載の組立式包装容器。
【請求項５】
上蓋固定部は、先端部に設けられた突起形状を有する爪部を有し、
上蓋固定部を前記第1上蓋受部の前記溝部に嵌め込んで、前記側面部に沿って折り返した状態で、前記爪部をさらに折り返して前記側面部に設けられた貫通孔を有する爪受部に差込むことにより、前記上蓋が前記側面部に固定されることを特徴とする請求項１〜４のいずれか一項に記載の組立式包装容器。
【請求項６】
前記側面部の裏面に、所定の重量のおもりが着脱可能に固定されていることを特徴とする請求項１〜５のいずれか一項に記載の組立式包装容器。
【請求項７】
前記上部開口部に、内部に収納された収納物が当該上部開口部から外部に落下するのを防止するための柵状部材が設けられていることを特徴とする請求項１〜６のいずれか一項に記載の組立式包装容器。
【発明の詳細な説明】
【技術分野】
【０００１】
本発明は、組立式容器に関する。
【背景技術】
【０００２】
従来の飲料用の自動販売機では、飲料水やコーヒーなどの飲料を缶やペットボトルなどの容器に入れて販売されている。また、自動販売機で使用されている容器としては、主に、ビンやプラスチック製の容器が使用されている。
【０００３】
特許文献１（特開2011-73691号公報）には、飲料用自動販売機に用いる際比重が大きく自動販売機で製品が途中で引っ掛かることが少ないようにすることが出来る、強度が強く、耐水性がある自動販売機用包装容器が開示されている。
【先行技術文献】
【特許文献】
【０００４】
【特許文献１】特開2011-73691号公報
【発明の概要】
【発明が解決しようとする課題】
【０００５】
飲料用の自動販売機では、ほとんどが飲料の入った缶やペットボトルを取り扱っており、例えば、レトルトパウチに入った食品を扱うものは少なかった。また、ビニール包装された菓子パンや菓子類といった食品を扱っているものがあるが、特殊な構造の自販機を用いたものであり、高価な上、防水性や防犯性において課題があった。
【０００６】
また、飲料用の自動販売機で取り扱われているペットボトルなどのプラスチック製の容器は環境負荷を大きくするなどの問題がある上、保管場所に大きなスペースが必要で輸送費なども余計なコストを要する等の課題がある。
【課題を解決するための手段】
【０００７】
本発明に係る組立式包装容器は、略矩形状の板状部材を筒状に折り曲げて形成された側面部と、前記側面部の一部を折り返して形成され、前記側面部の上方側に設けられた上蓋と、前記側面部の下方側に設けられた下蓋とを備える。前記側面部は、前記上蓋を折り返すことで形成された上部開口部と、前記上部開口部が設けられた側面部と対向する側面部の上方端に設けられた凹形状の溝部を含む第１上蓋受部を有する。さらに、前記上蓋は、前記側面部に接続された領域と対向する領域に上蓋固定部を有し、前記上蓋固定部が、前記第１上蓋受部に嵌め込まれて、前記側面部に固定されるように構成されている。
【０００８】
本発明に係る組立式包装容器では、側面部を略矩形状の板状部材を筒状に折り曲げて形成し、側面部の上方側に設けられた上蓋は側面部の一部を折り返して形成しているので、略矩形状の板状部材の面積を小さくできる。また、側面部には、上蓋を折り返すことで形成された上部開口部が設けられており、内部に収納された収納物を視認可能とすることができる。さらに、側面部には、凹形状の溝部を含む第１上蓋受部が設けられており、上蓋に形成された上蓋固定部が第１上蓋受部に嵌め込まれて、側面部に固定されるように構成されているので、上蓋を側面部に確実に固定することができる。
【０００９】
また、本発明に係る組立式包装容器において、前記下蓋は、前記側面部の一部を折り返して形成されており、前記側面部は、前記下蓋を折り返すことで形成された下部開口部と、前記下部開口部が設けられた側面部と対向する側面部の下方端に設けられた凹形状の溝部を含む第１下蓋受部を有し、前記下蓋は、前記側面部に接続された領域と対向する領域に下蓋固定部を有し、前記下蓋固定部が、前記第１下蓋受部に嵌め込まれて、前記側面部に固定されるように構成されたことを特徴としてもよい。発明に係る組立式包装容器では、上蓋と同様の構造を有する下蓋を設けることができる。
【００１０】
また、本発明に係る組立式包装容器において、前記側面部は、上方端に設けられ、凹形状を有すると共に、前記第１上蓋受部と異なる第２上蓋受部を有することができる。また、前記上蓋は、当該上蓋の周縁部の前記第２上蓋受部と対応する位置に上蓋突起部を有し、前記上蓋突起部が、前記第２上蓋受部に嵌め込まれて、前記側面部に固定されるように構成されている。
【００１１】
本発明に係る組立式包装容器では、上蓋に設けられた上蓋突起部が、側面部の対応する位置に設けられた第２上蓋受部に嵌め込まれるように構成されているので、上蓋を側面部により確実に固定することができる。この結果、上蓋が側面部から外れて、組立式包装容器の内部に収納された収納物が、外部に放出されるのを防止することができる。
【００１２】
また、本発明に係る組立式包装容器において、前記第1上蓋受部の前記溝部は、側辺が逆ハの字形状で下方にいくほど開口の幅が狭くなる開口部と、当該開口部の底面部に設けられ、前記上蓋固定部を嵌め込んで係止するための切込み部を有することを特徴としてもよい。
【００１３】
本発明に係る組立式包装容器では、第1上蓋受部の前記溝部は、側辺が逆ハの字形状で下方にいくほど開口の幅が狭くなる開口部と、当該開口部の底面部に設けられ、上蓋固定部を嵌め込んで係止するための切込み部を有するので、上蓋を側面部に確実に固定することができる。
【００１４】
また、本発明に係る組立式包装容器において、上蓋固定部は、先端部に設けられた突起形状を有する爪部を有し、上蓋固定部を前記第1上蓋受部の前記溝部に嵌め込んで、前記側面部に沿って折り返した状態で、前記爪部をさらに折り返して前記側面部に設けられた貫通孔を有する爪受部に差込むことにより、前記上蓋が前記側面部に固定されることを特徴としてもよい。
【００１５】
本発明に係る組立式包装容器では、側面部に沿って折り返した状態で、爪部をさらに折り返して側面部に設けられた貫通孔を有する爪受部に差込むように設計しているので、上蓋固定部を側面部に沿って折り返した状態では、側面部の表面がほぼ平坦な状態に保持することができる。
【００１６】
また、本発明に係る組立式包装容器において、前記側面部の裏面に、所定の重量のおもりが着脱可能に固定されていることを特徴としてもよい。側面部の裏面に、所定の重量のおもりが着脱可能に固定されていることで、組立式包装容器の荷重を所定の重量に調整することができる。これにより、飲料用の自動販売機内での組立式包装容器のスムーズな搬送を可能とすることができる。
【００１７】
また、本発明に係る組立式包装容器において、前記上部開口部に、内部に収納された収納物が当該上部開口部から外部に落下するのを防止するための柵状部材が設けられていることを特徴としてもよい。上部開口部に、柵状部材が設けられているので、内部に収納された収納物が、上部開口部の大きさよりも小さい場合であっても、当該上部開口部から外部に落下するのを確実に防止することができる。
【発明の効果】
【００１８】
本発明に係る組立式包装容器では、側面部を略矩形状の板状部材を筒状に折り曲げて形成し、側面部の上方側に設けられた上蓋は側面部の一部を折り返して形成しているので、略矩形状の板状部材の面積を小さくできる。また、側面部には、上蓋を折り返すことで形成された上部開口部が設けられており、内部に収納された収納物を視認可能とすることができる。さらに、側面部には、凹形状の溝部を含む第１上蓋受部が設けられており、上蓋に形成された上蓋固定部が第１上蓋受部に嵌め込まれて、側面部に固定されるように構成されているので、上蓋を側面部に確実に固定することができる。従って、飲料用の自動販売機で取り扱うことが可能な容器を提供することができる。
【図面の簡単な説明】
【００１９】
【図１】図1は、第１の実施形態に係る組立式容器の斜視図を概略的に示す図である。
【図２】図２は、第１の実施形態に係る組立式容器の斜視図を概略的に示す図である。
【図３】図３は、第１の実施形態に係る組立式容器の側面部の上端側に、上蓋の蓋止部を嵌め込んで上蓋を固定した状態を説明するための図である。
【図４】図４は、第１の実施形態に係る組立式容器の上面図を概略的に示す図である。
【図５】図５は、第１の実施形態に係る組立式容器の展開図を説明するための図である。
【図６】図６は、第２の実施形態に係る組立式容器の斜視図を概略的に示す図である。図６では、説明のために、組立式容器の側面部の一部を取り除いた破断図として示している。
【図７】図７は、第２の実施形態に係る組立式容器の展開図を説明するための図である。
【図８】図８は、第３の実施形態に係る組立式容器の側面図を概略的に示す図である。
【図９】図９は、第３の実施形態に係る組立式容器の側面部に設けられた開口部に取り付けるための柵状部材を説明するための図である。柵状部材を説明するための図である。
【図１０】図１０は、第４の実施形態に係る組立式容器の側面図を概略的に示す図である。
【図１１】図１１は、第４の実施形態に係る組立式容器の展開図を説明するための図である。
【発明を実施するための形態】
【００２０】
いくつかの実施形態に係る組立式容器を、以下に図面を参照しつつ説明する。以下の説明では、図面の説明において同一の要素には同一の符号を付する。
【００２１】
（第１の実施形態）
図１に、第１の実施形態に係る組立式容器の斜視図を概略的に示す。組立式容器１は、例えば、食品を収納して、飲料用の自動販売機で販売するための組立式容器である。図１に示すように、組立式容器１は、上蓋２と、下蓋３と、側面部４とを有することができる。本実施形態では、上蓋２及び、下蓋３は、略八角形の形状を有する。また、側面部４は、略矩形状の板状部材を筒状に折り曲げて形成されており、８つの側面を有している。また、側面部４を筒状に組み立てた時に、筒状の側面部４の上端及び下端に、上蓋２及び、下蓋３がそれぞれ嵌め込まれることができる。
【００２２】
側面部４は、上部開口部５、及び下部開口部６を有する。また、上部開口部５は、側面部４の上蓋２となる部分を上方に折り返すことで形成されることができる。このとき、上蓋２は、一辺が側面部４に接続された状態で、折り返されて、筒状の側面部４の上端側に嵌め込まれる。また、下部開口部６は、側面部４の下蓋３となる部分を下方に折り返すことで形成されることができる。このとき、下蓋３は、一辺が側面部４に接続された状態で、折り返されて、筒状の側面部４の下端側に嵌め込まれる。
【００２３】
図1を参照すると、上部開口部５は、８面の側面部４の３面の領域に渡って形成されている。側面部４の一面の幅が、上蓋２の一辺に対応しており、略正８角形の上蓋部を側面部４から形成する場合、側面部４の連続した３面の領域から上蓋２を形成することができる。
【００２４】
同様に、下部開口部６は、８面の側面部４の３面の領域に渡って形成されている。側面部４の一面の幅が、下蓋２の一辺に対応しており、略正８角形の下蓋部を側面部４から形成する場合、側面部４の連続した３面の領域から下蓋２を形成することができる。
【００２５】
また、図1に示すように、本実施形態では、上部開口部５と下部開口部６とは、側面部４の一つの面を共有し、他の面は、互いに異なる面に属するように形成されている。このように、側面部４の異なる面に上部開口部５と下部開口部６を設けることで、組立式容器１の強度を大きくすることができる。また、組立式容器１内に収納する商品が、上部開口部５又は下部開口部６から出て、商品が破損や汚れたりすることを防止することができる。
【００２６】
また、図１に示すように、上部開口部５には、上部開口部５の開口側に突き出た凸形状を有する堤防部１４ａが設けられている。本実施形態では、上蓋２の一辺が接続されている側面部４の部分に、堤防部１４ａを設けることができる。同様に、下部開口部６には、下部開口部６の開口側に突き出た凸形状を有する堤防部１４ｂが設けられている。本実施形態では、下蓋３の一辺が接続されている側面部４の部分に、堤防部１４ｂを設けることができる。堤防部１４ａ、又は１４ｂを、上部開口部５又は下部開口部６にそれぞれ設けることにより、組立式容器１内に収納する商品が、上部開口部５又は下部開口部６から出ることを効果的に防止できるので、商品が破損や汚れたりすることを一層防止することができる。
【００２７】
図２に、斜め上方から観た組立式容器１の斜視図を概略的に示す。図２に示すように、上蓋２は、略八角形の形状を有し、八角形の対向する２辺に、凸上の突起部１１aが設けられている。また、上蓋２には、側面部４に接続された辺と対向する辺に、上蓋固定部７ａが設けられている。さらに、上蓋固定部７ａの先端部には、突起形状を有する上蓋爪部８ａが設けられている。図２に示すように、側面部４の上端側に、上蓋２の上蓋固定部７ａを嵌め込んで上蓋２を固定するための第１上蓋受部９aが設けられている。第1上蓋受部９aは溝部を有しており、上蓋固定部７ａを第1上蓋受部９ａの溝部に嵌め込んで、側面部４に沿って折り返した状態で、上蓋爪部８ａをさらに折り返して側面部４に設けられた貫通孔を有する爪受部１０ａに差込む。これにより、側面部４の上蓋固定部７ａの先端部に対応する辺に設けられた爪受部１０aに挿入して、上蓋２を側面部４に係止することができる。側面部４に沿って折り返した状態で、上蓋爪部８ａをさらに折り返して側面部４に設けられた貫通孔を有する爪受部１０ａに差込むように設計しているので、上蓋固定部７ａを側面部４に沿って折り返した状態では、側面部４の表面がほぼ平坦な状態に保持することができる。この結果、組立式容器１を例えば自動販売機にセットされて、落下するときに、途中で組立式容器１が引っ掛かることを防止することができる。
【００２８】
図２に示すように、上蓋２の上蓋固定部７ａの先端部に設けられた上蓋爪部８ａは、側面部４の爪受部１０aに差込む構造となっている。
【００２９】
図２に示すように、側面部４の上端側に、上蓋固定部７ａを嵌め込んで上蓋２を固定するための第１上蓋受部９aが設けられている。また、第１上蓋受部９aは、上部開口部５が設けられた側面部４の側面と対向する側面の上部に位置している。第１上蓋受部９aは、側辺が逆ハの字形状で下方にいくほど開口の幅が狭くなる開口部を有しており、さらに、開口部の底面部には、上蓋固定部７ａを嵌め込んで係止するための切込み部が設けられている。第１上蓋受部９aの開口部が、側辺が逆ハの字形状で下方にいくほど開口の幅が狭くなる形状を有することで、上蓋固定部７ａを開口部に沿ってガイドし易くすることができる。上蓋２の上蓋固定部７ａが嵌め込まれて上蓋２が側面部４に固定されることができる。
【００３０】
上蓋２の上蓋突起部１１ａと対応する側面部４の側面には、第２上蓋受部１２aが設けられている。本実施形態では、上蓋２と側面部４が接続されている側面と第１上蓋受部９aが設けられている側面は互いに対向している。また、第２上蓋受部１２aは、互いに対向する２つの側面に設けられている。第２上蓋受部１２aは、第１上蓋受部９aが設けられている側面が延伸している方向と、交差する側面に設けられている。本実施形態では、第２上蓋受部１２aが設けられている側面が延伸する方向と、第１上蓋受部９aが設けられている側面が延伸している方向とが、ほぼ直交するように、構成されている。
【００３１】
第２上蓋受部１２aは、側辺が逆ハの字形状で下方にいくほど開口の幅が狭くなる開口部を有している。第２上蓋受部１２aの開口部に上蓋２の上蓋突起部１１ａが嵌め込まれて、上蓋部２を固定することができる。第２上蓋受部１２aの開口部が、側辺が逆ハの字形状で下方にいくほど開口の幅が狭くなる形状を有することで、上蓋突起部１１ａを開口部に沿ってガイドし易くすることができる。これにより、上蓋２の上蓋突起部１１ａが嵌め込まれて上蓋２が側面部４に固定されることができる。
【００３２】
以上では、組立式容器１の上蓋２が側面部４に固定される構造について、図２を参照しながら説明した。同様に、下蓋３を、側面部４の下端側に、下蓋固定部７ｂを嵌め込んで下蓋３を固定する。
【００３３】
図1を参照すると、下部開口部６は、８面の側面部４の３面の領域に渡って形成されている。側面部４の一面の幅が、下蓋３の一辺に対応しており、略正８角形の下蓋３を側面部４から形成する場合、側面部４の連続した３面の領域から下蓋３を形成することができる。また、本実施形態では、上部開口部５と下部開口部６は、側面部４の一つの面を共有し、他の面は、互いに異なる面に属するように形成されている。このように、側面部４の異なる面に上部開口部５，及び下部開口部６を設けることで、組立式容器１の強度を大きくすることができる。また、組立式容器１内に収納する商品が、下部開口部６から出て、商品が破損や汚れたりすることを防止することができる。
【００３４】
上蓋２と同様に、下蓋３は、略八角形の形状を有し、八角形の対向する２辺に、凸上の突起部１１bが設けられている。また、下蓋３において、側面部４に接続された辺と対向する辺に、下蓋固定部７ｂが設けられている。さらに、下蓋３の下蓋固定部７ｂの先端部には、側面部４の下蓋固定部７ｂの先端部に対応する辺に設けられた爪受部１０bに挿入して、下蓋３を側面部４に係止するための下蓋爪部８ｂが設けられている。
【００３５】
下蓋３の下蓋固定部７ｂの先端部に設けられた下蓋爪部８ｂは、側面部４の爪受部１０bに差込む構造となっている。
【００３６】
図２に示すように、側面部４の上端側に、下蓋固定部７ｂを嵌め込んで下蓋３を固定するための第1下蓋受部９bが設けられている。また、第1下蓋受部９bは、下部開口部６が設けられた側面部４の側面と対向する側面の上部に位置している。第1下蓋受部９bは、側辺がハの字形状で上方にいくほど開口の幅が狭くなる開口部を有しており、さらに、開口部の底面部には、下蓋固定部７ｂを嵌め込むための凹部が設けられている。第1下蓋受部９bの開口部が、側辺がハの字形状で上方にいくほど開口の幅が狭くなる形状を有することで、下蓋固定部７ｂを開口部に沿ってガイドし易くすることができる。下蓋３の下蓋固定部７ｂが嵌め込まれて下蓋３が側面部４に固定されることができる。
【００３７】
下蓋３の下蓋突起部１１ｂと対応する側面部４の側面には、第２下蓋受部１２bが設けられている。本実施形態では、下蓋３と側面部４が接続されている側面と第1下蓋受部９bが設けられている側面は互いに対向している。また、第２下蓋受部１２bは、互いに対向する２つの側面に設けられている。第２下蓋受部１２bは、第1下蓋受部９bが設けられている側面が延伸している方向と、交差する側面に設けられている。本実施形態では、第２下蓋受部１２bが設けられている側面が延伸する方向と、第1下蓋受部９bが設けられている側面が延伸している方向とが、ほぼ直交するように、構成されている。
【００３８】
第２下蓋受部１２ｂは、側辺がハの字形状で上方にいくほど開口の幅が狭くなる開口部を有している。第２下蓋受部１２bの開口部に下蓋３の下蓋突起部１１ｂが嵌め込まれて、下蓋部３を固定することができる。第２下蓋受部１２bの開口部が、側辺がハの字形状で上方にいくほど開口の幅が狭くなる形状を有することで、下蓋突起部１１ｂを開口部に沿ってガイドし易くすることができる。これにより、下蓋３の下蓋突起部１１ｂが嵌め込まれて下蓋３が側面部４に固定されることができる。
【００３９】
図３に、組立式容器１の側面部４の上端側に、上蓋２の上蓋固定部７ａを嵌め込んで上蓋を固定した状態を説明するための図を示す。図３（ａ）は、組立式容器１の側面図を概略的に示しており、図３（ｂ）は、図３（ａ）のＡ部を拡大した拡大図をしめしている。図３に示すように、第１上蓋受部９aは、側辺が逆ハの字形状で下方にいくほど開口の幅が狭くなる開口部を有しており、さらに、開口部の底面部には、上蓋固定部７ａを嵌め込むための凹部が設けられている。第１上蓋受部９aの開口部が、側辺が逆ハの字形状で下方にいくほど開口の幅が狭くなる形状を有することで、上蓋固定部７ａを開口部に沿ってガイドし易くすることができる。上蓋２の上蓋固定部７ａが嵌め込まれて上蓋２が側面部４に固定されることができる。
【００４０】
図４は、第１の実施形態に係る組立式容器１の上面図を概略的に示す図である。図４に示すように、上蓋２は、略８角形の形状を有し、筒状に組み立てられた側面部４の上端側に、一辺が側面部４に接続された状態で折り返されて嵌め込まれている。また、側面部４の上端側に接続された辺と対向する辺には、上蓋固定部７ａが設けられている。上蓋２は、上蓋固定部７ａが側面部４の上端側に設けられた第１上蓋受部９ａに嵌め込まれて、側面部４に固定される。また、上蓋２の側面部４に接続された辺、及び上蓋固定部７ａが設けられている辺とは異なる互いに対向する２辺には、上蓋突起部１１ａが設けられている。上蓋２は、上蓋突起部１１ａが、側面部４の上端側に設けられた第２上蓋受部１２ａに嵌め込まれて側面部４に固定されることができる。上蓋固定部７ａの先端側には、上蓋爪部８ａが設けられており、上蓋固定部７ａを折り返したときに、上蓋爪部８ａを側面部４に設けられた爪受部１０aに差し込んで上蓋２が側面部４に固定される。
【００４１】
図４を参照すると、上蓋固定部７ａの側縁部には上蓋開封取手１３ａを設けることができる。組立式容器１を分解する際に、上蓋開封取手１３ａを摘まんで、上蓋固定部７ａの上蓋爪部８ａを取り出すことができるので、容易に分解することができる。
同様に、下蓋固定部７ｂの側縁部には下蓋開封取手１３ｂを設けることができる。組立式容器１を分解する際に、下蓋開封取手１３ｂを摘まんで、下蓋固定部７ｂの下蓋爪部８ｂを取り出すことができるので、容易に分解することができる。
【００４２】
図５は、第１の実施形態に係る組立式容器１の展開図を説明するための図である。図５に示すように、組立式容器１は、側面部４、上蓋２、及び下蓋３が、１枚の板部材３０に含まれており、この板部材３０に含まれる側面部４、上蓋２、及び下蓋３を折り曲げて組み立てることができる。側面部４は、側面部品４ａ、４ｂ、４ｃ、４ｄ、４ｅ、４ｆ、４ｇ、及び４ｈの８面を含む。なお、図５において破線は、折り目線を示す。
【００４３】
図５において、上蓋２は、一辺が側面部品４ｃに接続されており、他の辺（周辺部）は、側面部４から切り離されて折り込み可能に構成されている。図５では、上蓋２と側面部４との境界において、側面部４から切り離された部分（切り込み部）を実線で示している。同様に、下蓋３は、一辺が側面部品４ｅに接続されており、他の辺（周辺部）は、側面部４から切り離されて折り込み可能に構成されている。図５では、下蓋３と側面部４との境界において、側面部４から切り離された部分（切り込み部）を実線で示している。
【００４４】
また、側面部品４ｇの第１上蓋受部９ａの近傍には、爪受部１０ａのための開口（貫通孔）が設けられている。また、側面部品４ａの第1下蓋受部９ｂの近傍には、爪受部１０ｂのための開口（貫通孔）が設けられている。
【００４５】
さらに、側面部品４ａの側辺には本体折込部１９が接続されて設けられている。本体折込部１９は、側面部４を筒状に形成したときに、側面部品４ｈの裏側に重ねて、隙間がないように立体形状を形成するためのものである。一方、側面部品４ｈの側辺には、本体爪部１６（１６ａ、１６ｂ）が設けられている。また、側面部品４ａと本体折込部１９との境界部分には、本体爪受部１７(１７ａ，１７ｂ)が設けられており、側面部品４ｈの裏側に本体折込部１９を重ねて側面部４を筒状に形成したときに、本体爪部１６（１６ａ、１６ｂ）を本体爪受部１７(１７ａ，１７ｂ)に差し込んで固定し、立体形状の側面部４を形成することができる。本実施形態では、本体爪受部１７(１７ａ，１７ｂ)は、本体爪部１６（１６ａ、１６ｂ）を挿入可能な切り込み形状を有することができる。
【００４６】
図５を参照すると、上蓋２は側面部品４ｂ、４ｃ、及び４ｄの領域に形成されることができる。一方、下蓋３は、側面部品４ｄ、４ｅ、及び４ｆの領域に形成されることができる。また、第１上蓋受部９ａが側面部品４ｇの上端側に設けられており、第1下蓋受部９ｂが側面部品４ａの下端側に設けられている。
【００４７】
また、爪受部１０ａは、側面部品４ｇの第１上蓋受部９ａの近傍に設けられている。一方、爪受部１０ｂは、側面部品４ａの第1下蓋受部９ｂの近傍に設けられている。
【００４８】
また、第２上蓋受部１２ａは、側面部品４ａと側面部品４ｅの上端側にそれぞれ設けられている。一方、第２下蓋受部１２ｂは、側面部品４ｃと側面部品４ｇの下端側にそれぞれ設けられている。
【００４９】
（第２の実施形態）
図６に、第２の実施形態に係る組立式容器１０１の斜視図を示す。図７に、第２の実施形態に係る組立式容器１０１の展開図を示す。なお、図６では、説明のために、組立式容器の側面部の一部を取り除いた破断図として示している。
【００５０】
図６に示すように組立式容器１０１は、側面部４の裏面にバンド部材１５を用いて固定された荷重調整用おもり２２を有することができる。荷重調整用おもり２２は、側面部４に着脱可能に取り付けることができる。荷重調整用おもり２２を設けることにより、飲料用の自動販売機内での組立式包装容器のスムーズな搬送を可能とすることができる。なお、荷重調整用おもり２２を有する以外は、第１の実施形態の組立式容器１と同じであるので、荷重調整用おもり２２以外の説明を省略する。
【００５１】
荷重調整用おもり２２は、組立式容器１０１の荷重を調整できるのものであれば何でもよく、例えば、保冷剤、粘土、厚紙片などを用いることができる。荷重調整用おもり２２の荷重としては、例えば、５０ｇ〜１００ｇの範囲とすることができる。本実施形態では、荷重調整用おもり２２の荷重は、５０ｇとした。
【００５２】
第1の実施形態に係る組立式容器１は、側面部４、上蓋２、及び下蓋３が、１枚の板部材３０から構成されており、この板部材３０に含まれる側面部４、上蓋２、及び下蓋３を折り曲げて、組立式容器１を組み立てることができる。本実施形態の組立式容器１０１も、同様に、側面部４、上蓋２、及び下蓋３が、１枚の板部材３０から構成されている。この結果、組立式容器１０１全体の重量を小さくすることができた。一方、組立式容器１０１を、ペットボトルや缶飲料を販売する自動販売機に用いる場合、組立式容器１０１の重量が小さいことが原因で、自動販売機内の商品が搬送される通路の途中で、引っ掛かることがある。また、組立式容器１０１内に収納する食品収納物の位置によって、組立式容器１０１のバランスが保てない場合も、自動販売機内の商品が搬送される通路の途中で、引っ掛かることがある。
【００５３】
組立式容器１０１の内部に、荷重調整用おもり２２を取り付けているので、組立式容器１０１全体の重量を調整することができる、また、荷重調整用おもり２２を、バンド部材１５を用いて、例えば、組立式容器１０１の略中央部分に取り付けることで、組立式容器１０１内に収納する食品収納物の位置によらず、組立式容器１０１の重心の位置を一定に保つことができるので、組立式容器１０１のバランスを安定して保持することができる。この結果、自動販売機内の商品が搬送される通路の途中で、引っ掛かることを防止することができる。
【００５４】
図７に示すように、本実施形態では、荷重調整用おもり２２を固定するバンド部材１５を、本体折込部１９に設けることができる。例えば、本体折込部１９に上下方向に延伸する２本の切り込み部を設けバンド形状部を形成した後、このバンド形状部を本体折込部１９から浮き上がせることで、バンド部材１５を本体折込部１９に一体に形成することができる。また、バンド部材１５は、別に設けて、側面部４の裏面に、例えば接着剤等で固定することもできる。
【００５５】
また、図７を参照すると、本体折込部１９に接続されているバンド部材の先端部は、バンド部の幅よりも大きい凸形状部を有することができる。バンド部材の先端部にバンド部の幅よりも大きい凸形状部を設けることで、本体折込部１９に設けた切り込み部が拡大することを防止することができる。本実施衣形態では、凸形状部は、略半円形状を有することができる。
【００５６】
（第３の実施形態）
図８に、第３の実施形態に係る組立式容器２０１の側面図を示す。図９に、上部開口部５の一部を塞ぐための柵状部材２０を説明するための図を示す。
【００５７】
図８に示すように組立式容器２０１は、上部開口部５の一部を塞ぐための柵状部材２０が設けられている。柵状部材２０は、図１１に示すように、平板上の形状を有しており、上端及び下端に凸形状の柵状部材突起部２１ａ、２１ｂを有する。柵状部材２０は、側面部４の上部開口部５の近傍に設けられた孔部に柵状部材２０の突起部を挿入することで、側面部４に取り付けることができる。本実施形態では、図８に示すように、上部開口部５の開口側に突き出た凸形状を有する堤防部１４ａを折り返しして設ける時に形成された柵状部材受孔部１８ａに柵状部材２０の上端部の柵状部材突起部２１ａを挿入することができる。一方、上部開口部５の下端部近傍には、柵状部材受孔部１８ｂを設け、当該柵状部材受孔部１８ｂに柵状部材２０の下端部の柵状部材突起部２１ｂを挿入することができる。
【００５８】
図８に示すように組立式容器２０１は、下部開口部6の一部を塞ぐための柵状部材２０が設けられている。柵状部材２０は、図１１に示すように、平板上の形状を有しており、上端及び下端に凸形状の柵状部材突起部２１ａ、２１ｂを有する。柵状部材２０は、側面部４の下部開口部6の近傍に設けられた孔部に柵状部材２０の突起部を挿入することで、側面部４に取り付けることができる。本実施形態では、図８に示すように、下部開口部6の開口側に突き出た凸形状を有する堤防部１４bを折り返しして設ける時に形成された柵状部材受孔部１８bに柵状部材２０の上端部の柵状部材突起部２１ａを挿入することができる。一方、下部開口部6の下端部近傍には、柵状部材受孔部１８aを設け、当該柵状部材受孔部１８aに柵状部材２０の下端部の柵状部材突起部２１aを挿入することができる。
【００５９】
本実施形態では、柵状部材２０は、厚みが０．５ｍｍ〜1ｍｍ程度、幅が１ｃｍ〜２ｃｍ程度、長さが１０ｃｍ〜１５ｃｍ程度の厚紙から成ることができる。しかし、柵状部材は、これに限定されず、板状のプラスチックなどの樹脂、金属などを用いることができる。また、板状の形状の他に、紐状、帯状などの形状でもよい。
【００６０】
上部開口部５及び／又は下部開口部６に、柵状部材２０を設けることで、商品を組立式容器からの落下を防止することができる。なお、上部開口部５及び／又は下部開口部６に、柵状部材２０を設けている点以外は、第１の実施形態の組立式容器１と同じであるので、柵状部材２０以外の説明を省略する。
【００６１】
（第４の実施形態）
図１０に、第４の実施形態に係る組立式容器３０１の側面図を示す。図１１に、第４の実施形態に係る組立式容器３０１の展開図を示す。図１１に示すように、組立式容器３０１の下蓋３０３は、一辺が板部材３０の側面部品４ｅの外側に接続されており、他の辺（周辺部）は、側面部４から切り離されて折り込み可能に構成されている。第４の実施形態に係る組立式容器３０１では、下蓋３０３の一辺が側面部品４ｅの外側に接続されている点で、第１の実施形態に係る組立式容器１と異なっている。また、下蓋３０３が、板部材３０の側面部品４ｅの外側に接続されているので、側面部４には、下部開口部が含まれていない。なお、下蓋３０３の構成以外は、第１の実施形態の組立式容器１と同じであるので、下蓋３０３以外の説明を省略する。
【００６２】
図１０、及び１１を参照すると、下蓋３０３は、一辺が側面部品４ｅの外側に接続されており、他の辺（周辺部）は、側面部４から切り離されて、内側に折り込み可能に構成されている。図１１では、下蓋３０３と側面部４との境界において、側面部４から切り離された部分（切り込み部）を実線で示している。
【００６３】
図１０に示すように、下蓋３０３は、一辺が側面部品４ｅの外側に接続されており、内側に折り込んで、側面部４の下端に嵌め込まれている。側面部４の上下方向の長さを小さくする必要がある場合、1枚の板部材３０に、上蓋及び下蓋を含ませることが困難である。上蓋及び下蓋のいずれか一方（本実施形態では、下蓋３０３）を板部材３０の側面部品４ｅの外側に設けることで、側面部４の上下方向の長さが小さい組立式容器を実現することができる。
【００６４】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００６５】
１、１０１、２０１、３０１    組立式容器
２    上蓋
３    下蓋
４    側面部
４ａ、４ｂ、４ｃ、４ｄ、４ｅ、４ｆ、４ｇ、４ｈ  側面部品
５    上部開口部
６    下部開口部
７    蓋固定部
７ａ  上蓋固定部
７ｂ  下蓋固定部
８    爪部
８ａ  上蓋爪部
８ｂ  下蓋爪部
９    第1蓋受部
９ａ  第1上蓋受部
９ｂ  第1下蓋受部
１０、１０ａ、１０ｂ  爪受部
１１    蓋突起部
１１ａ  上蓋突起部
１１ｂ  下蓋突起部
１２    第２蓋受部
１２ａ  第２上蓋受部
１２ｂ  第２下蓋受部
１３    開封取手
１３ａ  上蓋開封取手
１３ｂ  下蓋開封取手
１４、１４ａ、１４ｂ  堤防部
１５  バンド部材
１６、１６ａ，１６ｂ  本体爪部
１７、１７ａ，１７ｂ  本体爪受部
１８、１８ａ、１８ｂ  柵状部材受孔部
１９  本体折込部
２０  柵状部材
２１、２１ａ，２１ｂ  柵状部材突起部
２２  おもり
３０  板部材
【要約】
【課題】飲料用の自動販売機で使用可能な包装容器を提供することである。
【解決手段】組立式包装容器は、略矩形状の板状部材を筒状に折り曲げて形成された側面部と、側面部の一部を折り返して形成され、当該側面部の上方側に設けられた上蓋と、側面部の下方側に設けられた下蓋とを備える。側面部は、上蓋を折り返すことで形成された上部開口部と、上部開口部が設けられた側面部と対向する側面部の上方端に設けられた凹形状の溝部を含む第１上蓋受部を有する。さらに、上蓋は、側面部に接続された領域と対向する領域に上蓋固定部を有し、上蓋固定部が、第１上蓋受部に嵌め込まれて、側面部に固定されるように構成されている。
【選択図】図１【図１】
0006967817.tif 000002
【図２】
0006967817.tif 000003
【図３】
0006967817.tif 000004
【図４】
0006967817.tif 000005
【図５】
0006967817.tif 000006
【図６】
0006967817.tif 000007
【図７】
0006967817.tif 000008
【図８】
0006967817.tif 000009
【図９】
0006967817.tif 000010
【図１０】
0006967817.tif 000011
【図１１】
0006967817.tif 000012